(57)【特許請求の範囲】
【請求項１】
露光開口を挟んだ一方に設けられ、カートリッジを収納するカートリッジ収納室と、前記他方に設けられており、フイルム先端とフイルム後端との間の有効露光範囲に撮影コマ当たり２個となるパーフォレーション列を給送方向に沿って形成した未露光の写真フイルムを前記カートリッジから引き出してロール状に収納するフイルムロール室と、前記カートリッジに設けたスプールに係合し、巻き上げ操作のときに巻き上げ方向に回転操作され、その回転操作によりスプールをフイルム巻取り方向に回転させて前記未露光の写真フイルムをフイルムロール室から引き出して新たな撮影コマを前記露光開口にセットし、かつ露光済みの写真フイルムを前記カートリッジ収納室に巻き上げる巻き上げノブと、前記写真フイルムが１撮影コマ分の長さだけ移送されるごとに枚数表示板を歩進してその時点の残りの撮影枚数を、外部に設けた枚数表示窓に表示する枚数表示板と、を備えたレンズ付きフイルムユニットにおいて、
該ユニットの外部のうちの前記枚数表示窓とは異なる位置に設けた巻込み完了表示窓と、
前記フイルムロール室に収納した写真フイルムの全てを前記カートリッジに巻き込んだ旨を前記巻込み完了表示窓に表示する表示位置と非表示位置との間で回転自在に設けられた巻込み完了表示板と、
前記巻き上げノブの巻き上げ方向への一回転に連係して前記巻込み完了表示板を前記非表示位置から表示位置に向けて歩進させるとともに、前記フイルムロール室に収納した写真フイルムの全部をカートリッジに巻き込む分だけ前記巻き上げノブを回転操作したときに、前記巻込み完了表示板を前記表示位置に、前記非表示位置から１回転未満の回転域で到達させる巻込み完了表示手段と、
を備えたことを特徴とするレンズ付きフイルムユニット。
【請求項２】
前記巻込み完了表示手段は、前記巻き上げノブと一緒に回転する一歯ギヤと、前記巻込み完了表示板の外周に形成された巻込み完了表示ギャと、前記巻き上げノブが巻き上げ方向に一回転するごとに前記一歯ギヤが噛合して前記一歯ギヤの一回転で歩進する回転角度よりも少ない回転角度で前記巻込み完了表示ギヤを歩進させる減速ギヤと、からなることを特徴とする請求項１記載のレンズ付きフイルムユニット。
【請求項３】
露光開口を挟んだ一方に設けられ、カートリッジを収納するカートリッジ収納室と、前記他方に設けられており、未露光の写真フイルムを前記カートリッジから引き出してロール状に収納するフイルムロール室と、前記カートリッジに設けたスプールに係合し、巻き上げ操作のときに巻き上げ方向に回転操作され、その回転操作によりスプールをフイルム巻取り方向に回転させて前記未露光の写真フイルムをフイルム収納室から引き出して新たな撮影コマを前記露光開口にセットし、かつ露光済みの写真フイルムを前記カートリッジ収納室に巻き上げる巻き上げノブと、前記写真フイルムが１撮影コマ分の長さだけ移送されるごとに枚数表示板を歩進してその時点の残りの撮影枚数を、外部に設けた枚数表示窓に表示するとともに、最後の撮影コマに撮影を完了した後の巻き上げ操作により残りの撮影コマが無い旨を表示する位置に歩進してその位置で保持される枚数表示板と、を備えたレンズ付きフイルムユニットにおいて、
該ユニットの外部のうちの前記枚数表示窓とは異なる位置に設けた巻込み完了表示窓と、
外周に巻込み完了表示ギヤが形成されており、前記フイルムロール室に収納した写真フイルムの全てを前記カートリッジに巻き込んだ旨を前記巻込み完了表示窓に表示する表示位置と非表示位置との間で回転自在に設けられた巻込み完了表示板と、
前記巻き上げノブと一緒に回転する一歯ギヤと、
前記一歯ギヤと前記巻込み完了表示ギヤとの間に直結されており、前記巻き上げノブが巻き上げ方向に一回転するごとに前記一歯ギヤが噛合して前記一歯ギヤの一回転で歩進する回転角度よりも少ない回転角度で前記巻込み完了表示板を歩進させ、前記フイルムロール室に収納した写真フイルムの全部をカートリッジに巻き込む分だけ前記巻き上げノブを回転操作したときに、前記巻込み完了表示板を前記表示位置に、前記非表示位置から１回転未満の回転域で到達させる減速ギヤと、
を備えたことを特徴とするレンズ付きフイルムユニット。
【請求項４】
前記減速ギヤは、前記一歯ギヤが噛合する第１ギヤと、前記巻込み完了表示ギヤに噛合する第２ギヤとからなる二段ギヤとなっており、前記第１ギヤは、ピッチ円直径とモジュールとから決まる歯数よりも少ない歯数になっていることを特徴とする請求項２又は３記載のレンズ付きフイルムユニット。
【請求項５】
前記表示位置に回転したときに前記巻込み完了表示板のそれ以上の歩進を阻止するロック手段を備えており、
前記巻込み完了表示ギャには、前記巻込み完了表示板が前記表示位置に到達したときに、前記減速ギヤとの噛合を解除するための歯欠部が形成されていることを特徴とする請求項２ないし４いずれか記載のレンズ付きフイルムユニット。
【請求項６】
前記減速ギヤにクリック係合する板バネを備えていることを特徴とする請求項２ないし５いずれか記載のレンズ付きフイルムユニット。
【発明の詳細な説明】
【０００１】
【発明の属する技術分野】
本発明は、全部の写真フイルムがカートリッジの内部に巻き込まれたことを外部に表示する手段を備えたレンズ付きフイルムユニットに関するものである。
【０００２】
【従来の技術】
レンズ付きフイルムユニットには、露光開口を挟んだ両側にそれぞれカートリッジを収納するカートリッジ収納室と未露光の写真フイルムを収納するフイルム収納室とが設けられており、撮影によりフイルム後端側の露光コマから露光を行い、撮影後のフイルム巻き上げ操作により露光済みの写真フイルムをカートリッジの内部に収納する。そして、最後のコマに撮影を完了した後のフイルム巻き上げ操作によってフイルム先端部までをカートリッジの内部に完全に収納できる。これにより、現像所での取り出しの際に、カートリッジからフイルム先端部が飛び出ていないので、カートリッジ収納室から確実に取り出すことができる。
【０００３】
現像所では、提出されたレンズ付きフイルムユニットの巻き上げノブを回転させる操作を行っている。というのは、レンズ付きフイルムユニットには、枚数表示板があるが、残り枚数が「０」の表示になっても未だフイルム先端がカートリッジに巻き込まれておらず、したがって、ユーザー側で行われる最後のコマに撮影を完了した後のフイルム巻き上げ操作量が足らないと、フイルム先端がカートリッジの内部に完全に巻き込まれていない状態となり、このままカートリッジを取り出そうとしてもフイルム先端が引っ掛かって取り出せないためである。そこで、レンズ付きフイルムユニットに全部の撮影済みの写真フイルムを収納したことを表示する手段を設けることが望まれている。
【０００４】
【発明が解決しようとする課題】
フイルム巻き込み完了を表示する手段としては、巻き上げノブの回転を利用して巻き込み完了表示板を所定量だけ回転させるようにすればよい。表示板としては、二度表示を避けるためにスタート位置から巻き込み完了表示位置までの回転量が１回転以下に制限される。しかも、レンズ付きフイルムユニットがコンパクトであるため狭いスペース内に組み込むことができるように、極力小径にすることを考慮しなくてはならない。しかしながら、撮影枚数の最大の写真フイルムを内蔵した場合、フイルム先端までカートリッジに巻き込む分の巻き上げノブの回転量が例えば、４０〜５０回転にもなるため、巻き上げノブの一回転で表示板を一目盛り分だけ歩進させる機構にすると、表示板の外周に４０〜５０の歯列が必要となる。これでは、例えばインボリュート歯形の場合、モジュールｍを０．３とすると、ピッチ円直径Ｄを１２〜１５ｍｍにする必要がある。表示板をこのような大径にすると、当然狭いスペース内に組み込むことができない。
【０００５】
本発明は、フイルム先端までカートリッジに巻き込む分の巻き上げノブの回転量が多くても、小径の表示板を１回転以下に制限して歩進させて巻き込み完了表示が行えるレンズ付きフイルムユニットを提供することを目的とする。
【０００６】
【課題を解決するための手段】
上記目的を達成するために、本発明のレンズ付きフイルムユニットでは、ユニットの外部のうちの前記枚数表示窓とは異なる位置に設けた巻込み完了表示窓と；フイルムロール室に収納した写真フイルムの全てをカートリッジに巻き込んだ旨を前記巻込み完了表示窓に表示する表示位置と非表示位置との間で回転自在に設けられた巻込み完了表示板と；巻き上げノブの一回転に連係して前記巻込み完了表示板を前記非表示位置から表示位置に向けて歩進させるとともに、フイルムロール室に収納した写真フイルムの全部をカートリッジに巻き込む分だけ巻き上げノブを回転操作したときに、前記巻込み完了表示板を前記表示位置に、前記非表示位置から１回転未満の回転域で到達させる巻込み完了表示手段と；を備えたものである。
【０００７】
巻込み完了表示手段としては、前記巻き上げノブと一緒に回転する一歯ギヤと、前記巻込み完了表示板の外周に形成された巻込み完了表示ギャと、前記巻き上げノブが一回転するごとに前記一歯ギヤが噛合して前記巻込み完了表示ギヤを、前記一歯ギヤの一回転で歩進する回転角よりも少ない回転角で歩進させる減速ギヤと、から構成するのが望ましい。また、表示位置に回転したときに巻込み完了表示板のそれ以上の歩進を阻止するロック手段を備えるのが好適である。このとき、巻上げノブがロックしないように、巻込み完了表示板が表示位置に到達したときに、減速ギヤとの噛合を解除するための歯欠部を巻込み完了表示ギャに設けるのが好適である。また、巻込み完了表示ギヤを一歯ギヤの一回転で歩進する回転角よりも少ない回転角で歩進させるためには、一歯ギヤが噛合する第１ギヤと巻込み完了表示ギヤに噛合する第２ギヤとからなる二段ギヤで減速ギヤを構成し、第１ギヤの歯数を、ピッチ円直径とモジュールとから決まる歯数よりも少ない歯数にすればよい。さらに、一歯ギヤと減速ギヤとは常に噛合していないため、巻込み完了表示板にはガタ付きが発生する。これを防ぐために、減速ギヤにクリック係合する板バネを設けるのが望ましい。
【０００８】
【発明の実施の形態】
図２は、レンズ付きフイルムユニット１０の外観を示すものである。レンズ付きフイルムユニット１０は、写真フイルムカートリッジや各種撮影機構が内蔵されたユニット本体１１とこれを収納する外ケース１２とから構成されている。外ケース１２は、ユニット本体１１に組み込まれた巻上げノブ１３，シャッタボタン１４、巻込み完了表示窓１５等を露呈させるような輪郭となっており、また、撮影レンズ１７，ファインダ光学窓１８及び枚数表示用の表示窓１９等を露出させるための穴が設けられている。
【０００９】
ユニット本体１１は、図３に示すように、本体基部２０、写真フイルムカートリッジ２５、及び外カバーとで構成されている。外カバーは、後カバー２１と前カバー２３とから構成されている。
【００１０】
前カバー２３は、本体基部２０の前面に着脱自在に取り付けられ、本体基部２０との間で露光ユニット２２を前及び上下方向から覆う。この前カバー２３の上面には、一部を切り欠いて弾性自在に形成したシャッタボタン１４が設けられている。
【００１１】
本体基部２０には、露光開口３３を挟んだ両側に各々隙間を空けてカートリッジ収納室２７とフイルムロール室２９とが一体に形成されている。カートリッジ収納室２７は、カートリッジ２６を収納するため部屋であり、またフイルムロール室２９は、カートリッジ２６から引き出した未露光の写真フイルム２８をフイルムロール２４の形態で収納するための部屋である。なお、巻芯に未露光の写真フイルムを巻き付けた状態でフイルムロール室に収納してもよい。この場合には、フイルム先端が巻芯から容易に離れるようにしておく。
【００１２】
カートリッジ収納室２７とフイルムロール室２９との底は開口となっており、写真フイルムカートッジ２５を装填した後に、後カバー２１に設けたプルトップ式の底蓋３０，３１によってそれぞれ光密に塞がれる。底蓋３０は、露光済みの写真フイルム２８を巻き込んだカートリッジ２６を取り出す際の蓋である。
【００１３】
カートリッジ収納室２７の上には、巻上げノブ１３が回動自在に配置されている。巻上げノブ１３には、カートリッジ２６のスプール２６ａに係合する軸が一体に形成されている。この軸は巻上げノブ１３とともにフイルム巻き上げ機構を構成している。巻上げノブ１３は、一部が後カバー２１の開口２１ａから露呈されており、この露呈された部分をフイルム巻き上げ方向（図１に示す矢印方向）に回転させることによりスプール２６ａが回転し、撮影済みの写真フイルム２８をカートリッジ２６の内部に巻き上げる。
【００１４】
巻上げノブ１３の外周には歯列１３ａが形成されている。この歯列１３ａには、本体基部２０に設けた逆止爪２０ａが係合している。逆止爪２０ａは、巻上げノブ１３がフイルム巻き上げ方向とは逆の方向に回転操作されることを禁止する。
【００１５】
写真フイルム２８は、フイルム先端とフイルム後端との間の有効露光範囲に、一方の側縁に沿って撮影コマ当たり２個のパーフォレーション２８ａ，２８ｂが配列されている。
【００１６】
露光ユニット２２は、撮影レンズ１７、フイルム巻き止め機構、シャッタ機構、フイルムカウンタ機構、及びファインダ光学２２ａ等を組み込んだ一体部品である。
【００１７】
カートリッジ２６は、スプール２６ａの回転により写真フイルム２８を送り出せる構造とされており、フイルム送出口の内部に開閉自在な蓋部材２６ｂが設けられている。この蓋部材２６ｂは、カートリッジ２６の内部遮光用であり、この両端には、キー溝が形成されている。これらのキー溝は、スプール２６ａの軸方向に沿った側面から外部に各々露呈されている。露光ユニット２２とカートリッジ収納室２７との隙間には、蓋部材閉じ機構が内蔵されており、現像所で後カバー２１の底蓋３０を開くときに、この開き操作に連動して蓋部材２６ｂが自動的に閉じられる。
【００１８】
巻き上げノブ１３には、下面に一歯ギヤ６４が一体に形成されている。この一歯ギヤ６４は、図１及び図４に示すように、減速ギヤ６５、巻込み完了表示ギヤ６６、ロック溝６７、及び板バネ６８等で巻込み完了表示手段を構成している。減速ギヤ６５、及び巻込み完了表示板７０は、カートリッジ収納室２７の上に設けた軸にそれぞれ回動自在に設けられている。巻込み完了表示ギヤ６６は、巻込み完了表示板７０の外周に形成されている。
【００１９】
減速ギヤ６５は、大ギヤ６５ａと小ギヤ６５ｂとからなる二段ギヤとされており、一方の大ギヤ６５ａは一歯ギヤ６４に噛合し、他方の小ギヤ６５ｂは巻込み完了表示ギヤ６６に噛合する。
【００２０】
一歯ギヤ６４は、巻き上げノブ１３のフイルム巻き上げ操作により図１に示す矢印Ａ方向（フイルム巻き上げ方向）に向けて回転し、巻上げノブ１３が一回転する間に１回だけ大ギヤ６５ａに噛合する。大ギヤ６５ａは、一歯ギヤ６４の噛合により所定角度だけ回転する。小ギヤ６５ｂは、前記所定角度よりも少ない角度（前記所定角度に減速比を掛けた角度）だけ巻込み完了表示板７０を回転させる。
【００２１】
巻込み完了表示板７０は、上面に巻込み完了の旨を表す表示部６６ａが施されており、フイルムロール室２９に収納された写真フイルム２８の全部をカートリッジ２６の内部に巻き込む分だけ巻き上げノブ１３が回転操作されたときに、表示部６６ａを巻込み完了表示窓１５から外部に露呈させる位置に回転する。
【００２２】
巻込み完了表示板７０が巻き込み完了を表示する表示位置まで回転した後には、これ以上回転しないように、巻込み完了表示板７０の回転をロックするロック機構が設けられている。このロック機構は、巻込み完了表示板７０の下部に一体に設けた突起部６６ｂと、カートリッジ収納室２７の上面に設けられたロック溝６７とから構成されている。ロック溝６７は、突起部６６ｂを両側から挟み込む一対の片６７ａ，６７ｂで溝６７ｃを構成しており、突起部６６ｂが入り込む側の片６７ｂが、他方の片６７ａよりもの短い長さとされている。巻込み完了表示板７０が表示位置まで回転すると、突起部６６ｂに押されて巻込み完了表示板７０の軸が撓み、突起部６６ｂの入り込みを許容する。なお、片６７ｂを弾性自在な材料にし、片６７ｂの弾性変形により、突起部６６ｂの入り込みを許容するようにしてもよい。
【００２３】
また、巻込み完了表示板７０が表示位置まで回転した後には小ギヤ６５ｂとの噛合を解除する必要がある。このため、巻込み完了表示ギヤ６６には、一部の歯を切り欠いた歯欠部６６ｃが形成されている。
【００２４】
一回転中に一歯ギヤ６４の歯が噛み合い始めてから終わるまでの大ギヤ６５ａの回転角は、例えば日本工業規格（ＪＩＳ  Ｂ1701）で規定されたインボリュート歯形の場合、大ギヤ６５ａのピッチ角Ｐよりも大きくなる。これは噛合代（有効歯タケに相当する部分）がモジュールの２倍の長さとされているためであり、大ギヤ６５ａがピッチ角Ｐ以上回転すると、巻込み完了表示板７０を回転させる角度も当然大きくなる。これでは、最大の撮影枚数分だけフイルム巻き上げが行われたときに、巻込み完了表示板７０が１回転以上してしまう恐れがある。
【００２５】
そこで、巻込み完了表示板７０の回転角度をできるだけ小さくするために、図５に示す噛合代ｍをモジュールの値よりも少なくすればよいが、噛合代ｍをモジュールの値より以下にすると大ギヤ６５ａの送りが不安定になる。そこで、噛合代ｍをモジュール分の長さとして一歯ギヤ６４が一回転する間に大ギヤ６５ａをピッチ角Ｐ分回転させるようにする。この場合には、例えば一歯ギヤ６４と大ギヤ６５ａとの間の中心距離、一歯ギヤ６４のピッチ円直径、及びモジュールとから決まる大ギヤ６５ａの歯数よりも少ない歯数で大ギヤ６５ａを創成し、ピッチ角を広くする。
【００２６】
なお、一歯ギヤ６４と大ギヤ６５ａとが噛合していないときには、大ギヤ６５ａがガタ付いて送りが不安定になる。そこで、送りを確実にするために、大ギヤ６５ａの歯には、ガタ付きを防止するために板バネ６８の先端をクリック係合させている（図１参照）。
【００２７】
次に上記構成の作用を説明する。レンズ付きフイルムユニット１０の組み立て工程には、暗室で写真フイルムを装填する作業がある。この作業は、カートリッジ２６から未露光の写真フイルム２８を引き出してフイルムロール２４を作成する。このときのカートリッジ２６からの引出し量は管理されている。この引出し量は、フイルム後端の最初の撮影コマを露光開口３３にセットする分だけ引き出した後に、さらに１コマ分の長さだけ引き出す。このように工場で未露光の写真フイルム２８の引出し量を管理することで、撮影規定枚数の異なるフイルム種類ごとでフイルムロール室２９に収納された写真フイルム２８をカートリッジ２６の内部に全部巻き込む分の巻き上げノブ１３の回転量を一定にすることができる。
【００２８】
作成されたフイルムロール２４は、フイルムロール室２９に、またカートリッジ２６はカートリッジ収納室２７にそれぞれ収納される。その後、後カバー２１を本体基部２０に取り付けることで写真フイルム２８が光密にされる。この本体基部２０に露光ユニット２２、及び前カバー２３を取り付けることでユニット本体１１が完成する。
【００２９】
完成したユニット本体１１は、シャッタチャージ直前の状態となっており、この状態でシャッタ検査工程に搬送される。シャッタ検査工程では、先ず巻き上げノブ１３の回転操作をしないで、強制的にシャッタ機構のチャージを行う。この作業は、図３に示す後カバー２１の開口２１ｂから治具を挿入して行う。
【００３０】
シャッタチャージを行った後には、シャッタボタン１４を押下操作する。これによりシャッタ羽根が一往復揺動する。検査は、赤外光を撮影レンズ１７側から入射させる投光部と、シャッタ羽根で反射した光を受光する受光部とを用い、受光部で反射光の受光できない時間を測定する。このシャッタ検査に合格したユニット本体１１は、外ケース１２を取り付けてレンズ付きフイルムユニット１０として出荷される。
【００３１】
ユーザーがレンズ付きフイルムユニット１０を購入すると、先ず巻き上げノブ１３を回転操作してフイルム巻き上げを行う。これにより、写真フイルム２８が巻き上げられ、フイルム後端側の最初の撮影コマが露光開口３３にセットされたときにフイルム巻き止め機構が作動してフイルム巻き上げ操作がロックされる。この間に、シャッタ機構のチャージも行われている。
【００３２】
撮影は、シャッタボタン１４を押下操作する。この操作によりシャッタ機構が作動してシャッタ羽根がシャッタ開口の前面で一往復揺動する。この揺動中に撮影レンズ１７を透過した被写体光が露光開口３３にセットされた写真フイルム２８に入射する。
【００３３】
以下、前述した操作を繰り返すことで、有効露光範囲のフイルム後端側の撮影コマから順に露光が行われ、露光済みの写真フイルム２８がカートリッジ２６の内部に巻き取られる。この間、巻き上げノブ１３が一回転するごとに、一歯ギヤ６４が大ギヤ６５ａを所定角度分だけ回転させる。大ギヤ６５ａは、小ギヤ６５ｂを介して巻込み完了表示板７０を所定角度ずつ回転させる。なお、一歯ギヤ６４と大ギヤ６５ａとが噛合していないときには、大ギヤ６５ａが板バネ６８によりその時点での回転位置が維持されており、振動等で回転位置がずれることはない。さらに、写真フイルム２８の１コマ移送ごとに露光ユニット２２のフイルムカウンタ機構が枚数表示板を一目盛り分だけ歩進させ、表示窓１９を通して外部にその時点での残りのフイルム枚数を表示している。
【００３４】
最後の撮影コマに撮影を完了した後のフイルム巻き上げ操作により、フイルムカウンタ機構の枚数表示板が残りのフイルム枚数が無い旨を表示する位置に歩進する。このときに、フイルムカウンタ機構がフイルム巻き止め機構の作動を禁止する。これによりフイルム巻き止め機構が作動しないから、全部の写真フイルム２８をカートリッジ２６の内部に巻き込むことができる。
【００３５】
また、フイルムカウンタ機構は、フイルム巻き止め機構の作動を禁止したときに枚数表示板の回転をロックする。枚数表示板の回転がロックされた後には、表示窓１９には残りのフイルム枚数が無い旨の表示がなされたままである。このため、この時点でフイルム巻き上げ操作を終了してしまう恐れがある。しかしながら、本実施例では、フイルムカウンタ用の表示窓１９とは別に、巻込み完了表示窓１５を備えているから、この窓１５を通してフイルム巻き込み完了の表示をユーザーに確認させることができる。これにより、ユーザーは、巻込み完了を表す表示部６６ａが表示窓１５を通して確認できるまで巻き上げノブ１３の巻き上げ操作を行う。
【００３６】
フイルム巻き上げ操作が継続され、巻き上げノブ１３が写真フイルム２８の全部をカートリッジ２６の内部に巻き込む分の回転量となるときの１回転分で、図６に示すように、小ギヤ６５ｂが表示ギヤ６６を所定角度だけ回転させ、突起部６６ｂをロック溝６７に押し込む。これにより、表示ギヤ６６の表示部６６ａが表示窓１５を通して外部に露呈される。
【００３７】
巻込み完了表示板７０が巻込み完了表示位置に回転した後には、小ギヤ６５ｂが歯欠部６６ｃに対面するから、これ以降、巻き上げノブ１３のフイルム巻き上げ操作を行っても、巻込み完了表示板７０が回転することはない。
【００３８】
表示部６６ａは、外カバーや外ケースとは異なる色とされている。しかも、表示窓１５は、図４に示すように、表示窓１５の周囲の全周又は一部にテーパ面１５ａが施されている。これにより、表示窓１５の真上からだけではなく、左右前後のいずれかのずれた位置から見ても表示部６６ａの表示を確実に視認することができる。
【００３９】
巻き込み完了の表示を確認した後には、レンズ付きフイルムユニット１０を現像所に提出する。現像所では、レンズ付きフイルムユニット１０が提出されると、先ず底蓋３０を開いてカートリッジ２６を取り出す。この底蓋３０の開き動作に連動して蓋部材閉じ機構が作動してカートリッジ２６の蓋部材２６ｂが閉じられる。このとき、ユーザー側で表示部６６ａが表示窓１５に露呈する位置まで巻き上げノブ１３の回転操作が確実に行われているから、フイルム先端を蓋部材２６ｂで挟み込んでフイルムに傷等を付けることや、カートリッジ２６を取り出したときに外光がカートリッジ２６の内部に入射して光被れを生じさせる等の不都合を未然に防止することができる。
【００４０】
取り出したカートリッジ２６は、確実に蓋部材２６ｂが閉まっているから、暗室で蓋部材２６ｂを開いた後に、スプール２６ａをフイルム送り出し方向に回転させる。これにより、写真フイルム２８がカートリッジ２６のフイルム送出口から外部に送り出される。この露光済みの写真フイルム２８は、直ちに現像処理が施される。現像後には焼付け処理が行われて、プリント写真が作成される。現像済みの写真フイルム２８は、カートリッジ２６に巻き込んだ形態でプリント写真とともにユーザーに返却される。空のレンズ付きフイルムユニットは、再び工場に回収されリサイクルされる。
【００４１】
【実施例】
小ギヤ６５ｂと表示ギヤ６６との間の減速比は、例えば８／３０としている。大ギヤ６５ａは、ピッチ円直径Ｄが５．４ｍｍ、モジュールｍが０．３、歯数ｚが「１６」とされている。これによれば、例えば２５枚撮り用の写真フイルム２８を内蔵する場合、巻き込み完了までの巻き上げノブ１３の回転量を２９回転とすると、巻込み完了表示板７０の総回転角は、８／３０×２２．５×２９＝１７４度となる。したがって、巻込み完了表示板７０のスタート位置から１７４度ずれた位置に表示部６６ａを表示すればよい。
【００４２】
撮影枚数の異なる写真フイルム２８を内蔵する場合には、フイルム種類ごとで長さが異なるため、フイルム先端までカートリッジ２６の内部に巻き込むための巻き上げノブ１３の回転量も異なる。この場合には、表示部６６ａの表示位置だけを変えた巻込み完了表示板７０を用いる。例えば４０枚撮り用の写真フイルム２８を内蔵する場合には、巻き込み完了までの巻き上げノブ１３の回転量を４５回転とすると、巻込み完了表示板７０の総回転角が、８／３０×２２．５×４５＝２７０度となるから、巻込み完了表示板７０のスタート位置から２７０度ずれた位置に表示部６６ａを表示すればよい。
【００４３】
上記実施形態では、未使用時にはフイルム先端がカートリッジの内部に収納されており、スプールの回転により写真フイルムをフイルム先端から送り出すタイプのカートリッジ付き写真フイルムを内蔵しているが、本発明ではこれに限らず、周知の１３５タイプのカートリッジ付き写真フイルムを用いてもよい。この場合には、蓋部材閉じ機構を省略することができる。
【００４４】
【発明の効果】
以上説明したように、本発明のレンズ付きフイルムユニットによれば、フイルムロール室に収納した写真フイルムの全部をカートリッジに巻き込む分だけ巻き上げノブを回転操作したときに、巻込み完了表示板を表示位置に、非表示位置から１回転未満の回転域で到達させるから、巻込み完了表示板に従来技術で説明したような多数の歯を設ける必要がなく、したがって、巻込み完了表示板を小径で形成することができ、コンパクトなレンズ付きフイルムユニットにそのまま組み込むことができる。
【００４５】
また、巻込み完了表示板が表示位置に到達したときに巻込み完了表示板をロックする発明では、巻込み完了表示ギヤと減速ギヤとの噛合を解除するため、巻上げノブを無理に回転操作しても破損又は損傷をすることを確実に防止することができる。これにより、工場に回収して再使用するリサイクルが可能となる。
【図面の簡単な説明】
【図１】巻込み完了表示手段の概略を示す説明図である。
【図２】レンズ付きフイルムユニットの外観を示す斜視図である。
【図３】ユニット本体の構成を示す分解斜視図である。
【図４】巻込み完了表示手段の要部を示す断面図である。
【図５】一歯ギヤの一回転で大ギヤが一歯分だけ回転するように一歯ギヤと大ギヤとの噛合代を変えた部分を示した説明図である。
【図６】巻込み完了表示手段が巻き込み完了を表示した状態を示す説明図である。
【符号の説明】
１３  巻き上げノブ
６４  一歯ギヤ
６５  減速ギヤ
６５ａ  大ギヤ
６５ｂ  小ギヤ
６６  巻込み完了表示ギヤ
６６ａ  表示部
６６ｂ  突起部
６６ｃ  歯欠部
６７  ロック溝
６８  板バネ
７０  巻込み完了表示板
【図１】
0003738081.tif 000002
【図２】
0003738081.tif 000003
【図３】
0003738081.tif 000004
【図４】
0003738081.tif 000005
【図５】
0003738081.tif 000006
【図６】
0003738081.tif 000007